(57)【特許請求の範囲】
【請求項１】
会員向けのＩＣカードと一般向けのＩＣカードとの異なる２種のＩＣカードを選択的に使用することができる遊技装置用ＩＣカードリーダライタであって、一般向けのＩＣカードはカードリーダライタ内に保持され、会員向けのＩＣカードはカードリーダライタに対して出し入れ自在となっているとともに、会員向けのＩＣカードのカードリーダライタに対する出し入れに伴って読み書き対象のＩＣカードを一般向けのものと会員向けのものとに切り換える読み書き部と、会員向けのＩＣカードのカードリーダライタに対する出し入れに伴って読み書き対象となっているＩＣカードを外部に表示する表示部とを備えていることを特徴とする遊技装置用ＩＣカードリーダライタ。
【請求項２】
一般向けのＩＣカードが会員向けのＩＣカードに押されてその位置を変化させることで、読み書き対象のＩＣカードの切り換えと表示部への表示を変更するものであることを特徴とする請求項１記載の遊技装置用ＩＣカードリーダライタ。
【請求項３】
ＩＣカードに埋め込まれたＩＣチップに対してデータの読み書きを行うアンテナ部は、会員向けＩＣカードが挿入されていない状態での一般向けＩＣカードのＩＣチップに対向し且つ会員向けＩＣカードを挿入して一般向けＩＣカードを移動させた状態での会員向けＩＣカードのＩＣチップに対向する位置にあることを特徴とする請求項２記載の遊技装置用ＩＣカードリーダライタ。
【請求項４】
カード差し込み口が上端部に設けられ、ＩＣカードの移動通路はほぼ鉛直方向でカードリーダライタの前面とほぼ平行なものとなっており、表示部はカードリーダライタの前面に設けられてＩＣカードの一部を覗かせる窓であることを特徴とする請求項２または３記載の遊技装置用ＩＣカードリーダライタ。
【請求項５】
ＩＣカードの移動通路は下端側が後方となる傾斜を備えていることを特徴とする請求項４記載の遊技装置用ＩＣカードリーダライタ。
【請求項６】
一般向けＩＣカードを押し返すことで会員向けＩＣカードを排出する排出手段を備えていることを特徴とする請求項２〜５のいずれかの項に記載の遊技装置用ＩＣカードリーダライタ。
【請求項７】
排出手段はキープソレノイドであることを特徴とする請求項５または６記載の遊技装置用ＩＣカードリーダライタ。
【請求項８】
会員向けＩＣカードの出し入れ方向と一般向けＩＣカードの移動方向が排出手段の可動部の動作方向と一致していることを特徴とする請求項２〜７のいずれかの項に記載の遊技装置用ＩＣカードリーダライタ。
【請求項９】
会員向けＩＣカードはそのＩＣチップが一般向け会員向けＩＣカードに接する一端寄りに設けられていることを特徴とする請求項１〜８のいずれかの項に記載の遊技装置用ＩＣカードリーダライタ。
【請求項１０】
会員向けＩＣカードは台形状であり、幅狭側の一端が差し込み側となっているとともに、会員向けＩＣカードの移動通路は奥ほど幅が狭くなったテーパ溝であることを特徴とする請求項９記載の遊技装置用ＩＣカードリーダライタ。
【請求項１１】
一般向けＩＣカードの厚みが会員向けＩＣカードの厚みより大であり且つ会員向けＩＣカードの移動通路の厚みが一般向けＩＣカードの厚みより小であることを特徴とする請求項２または３記載の遊技装置用ＩＣカードリーダライタ。
【請求項１２】
一般向けＩＣカードの幅が会員向けＩＣカードの幅より小であり且つ一般向けＩＣカードの移動通路の幅が会員向けＩＣカードの幅より小であることを特徴とする請求項２または３または１１記載の遊技装置用ＩＣカードリーダライタ。
【発明の詳細な説明】
【０００１】
【発明の属する技術分野】
本発明は有償で遊技を行う遊技装置において用いられる遊技装置用ＩＣカードリーダライタに関するものである。
【０００２】
【従来の技術】
近年、遊技店では電子的情報や磁気的情報が書き込まれたプリペイドカードと称される記憶媒体を有価情報の媒体とし、この記憶媒体の有価情報をもとに遊技機での遊技を行うことができるようにした遊技設備が設置されている。
【０００３】
この時、保持することができる情報量やセキュリティの点で記憶媒体としてＩＣカードを用いる場合、そのコスト的なことから、会員用のＩＣカードはともかくも、一般向けのＩＣカードはユーザの手に渡ることなく使用されるようにしておくことが好ましい。
【０００４】
【発明が解決しようとする課題】
ここで、各遊技機に記憶媒体の読み書きを行うためのリーダライタを設けるにあたっては、一般に各遊技機毎に付設した台間機と称されているユニットに設置するのであるが、ユーザが手にすることができる会員向けのＩＣカードと、ユーザが手にすることができないようにする一般向けＩＣカードとに夫々専用のリーダライタを設けたのでは、１つの台間機に２つのリーダライタを設けることになってコスト的に問題が多く、また台間機の大きさからすれば設置スペースの点でも問題がある。
【０００５】
本発明はこのような点に鑑みなされたものであり、その目的とするところは
単体で一般向けカードと会員向けカードとを共に読み書きすることができる遊技装置用ＩＣカードリーダライタを提供するにある。
【０００６】
【課題を解決するための手段】
しかして本発明は、会員向けのＩＣカードと一般向けのＩＣカードとの異なる２種のＩＣカードを選択的に使用することができる遊技装置用ＩＣカードリーダライタであって、一般向けのＩＣカードはカードリーダライタ内に保持され、会員向けのＩＣカードはカードリーダライタに対して出し入れ自在となっているとともに、会員向けのＩＣカードのカードリーダライタに対する出し入れに伴って読み書き対象のＩＣカードを一般向けのものと会員向けのものとに切り換える読み書き部と、会員向けのＩＣカードのカードリーダライタに対する出し入れに伴って読み書き対象となっているＩＣカードを外部に表示する表示部とを備えていることに特徴を有している。
【０００７】
一般向けＩＣカードが読み書き対象となっている状態のところに会員向けＩＣカードを差し込めば、会員向けＩＣカードが読み書き対象になるとともに表示部で読み書き対象が変わったことがわかるようにしたものである。
【０００８】
この時、一般向けのＩＣカードが会員向けのＩＣカードに押されてその位置を変化させることで、読み書き対象のＩＣカードの切り換えと表示部への表示を変更するものであることが好ましい。
【０００９】
また、ＩＣカードに埋め込まれたＩＣチップに対してデータの読み書きを行うアンテナ部は、会員向けＩＣカードが挿入されていない状態での一般向けＩＣカードのＩＣチップに対向し且つ会員向けＩＣカードを挿入して一般向けＩＣカードを移動させた状態での会員向けＩＣカードのＩＣチップに対向する位置にあることが好ましい。
【００１０】
カード差し込み口が上端部に設けられ、ＩＣカードの移動通路はほぼ鉛直方向でカードリーダライタの前面とほぼ平行なものとなっており、表示部はカードリーダライタの前面に設けられてＩＣカードの一部を覗かせる窓であるものを好適に用いることができる。
【００１１】
ＩＣカードの移動通路は下端側が後方となる傾斜を備えていてもよい。
【００１２】
また、一般向けＩＣカードを押し返すことで会員向けＩＣカードを排出する排出手段を備えたものとするのが好ましく、この場合の排出手段にはキープソレノイドを好適に用いることができる。
【００１３】
会員向けＩＣカードの出し入れ方向と一般向けＩＣカードの移動方向が排出手段の可動部の動作方向と一致しているとよい。
【００１４】
また、会員向けＩＣカードはそのＩＣチップが一般向け会員向けＩＣカードに接する一端寄りに設けられていることが好ましく、この時、会員向けＩＣカードは台形状であり、幅狭側の一端が差し込み側となっているとともに、会員向けＩＣカードの移動通路は奥ほど幅が狭くなったテーパ溝であるとよい。
【００１５】
このほか、一般向けＩＣカードの厚みが会員向けＩＣカードの厚みより大であり且つ会員向けＩＣカードの移動通路の厚みが一般向けＩＣカードの厚みより小であったり、一般向けＩＣカードの幅が会員向けＩＣカードの幅より小であり且つ一般向けＩＣカードの移動通路の幅が会員向けＩＣカードの幅より小であることが好ましい。
【００１６】
【発明の実施の形態】
以下本発明を実施の形態の一例に基づいて詳述すると、図１は本発明にかかるＩＣカード用のリーダライタ１を示しており、前記台間機に配設されて前部を台間機の表面から突出させる該リーダライタ１は、台間機表面よりも突出している前端部上面にカード差し込み口１０を備えており、前面にはカードの一部を透視するための窓１１が設けられ、表示部である窓１１の後方位置にカードの読み書き用の読み書き部であるアンテナ部１２が配設され、前部内の下部にはキープソレノイドである排出手段１３が配設されている。
【００１７】
ここで、上記カード差し込み口１０にＩＣカードを差し込めば、ＩＣカードはリーダライタ１の前面とほぼ平行に形成された移動通路としてのガイドスロット２に入るのであるが、上端がカード差し込み口１０に連なるガイドスロット２は、上部が下端ほど幅が狭くなったテーパ部２１、下部が一定幅であるとともにテーパ部２１の下端幅よりも幅が狭い縦溝部２２となっており、さらに縦溝部２２の前後幅（厚み）はテーパ部２２の前後幅（厚み）より大きくなっている。また、縦溝部２２の前後幅の大きい部分は、テーパ部２１の下部に及んでおり、このために図２に示すように、テーパ部２１の下部には下端が縦溝部２２に連続する厚大部２３が存在している。さらに、縦溝部２２の下端は上記排出手段１３のプランジャー１４のための可動空間２４につながっている。
【００１８】
このカードリーダライタで使用するＩＣカードは、前述のように会員向けＩＣカードＣ１と一般向けＩＣカードＣ２の２種であるが、会員向けＩＣカードＣ１は図３に示すように、上端幅ａよりも下端幅ｂが狭くなっている台形状であり、ＩＣチップ３０は下端寄りの部分（下端から距離ｄのところ）に埋め込まれている。
【００１９】
そして一般向けＩＣカードＣ２は図４に示すように矩形状のものであるとともに、その幅ｃは会員向けＩＣカードＣ１の下端幅ｂより小さく、且つ厚みｈは会員向けＩＣカードＣ１の厚みｇよりも厚いものであり、ＩＣチップ３０は上端寄りの部分（上端から距離ｅのところ）に埋め込まれている。
【００２０】
そして、上記２種のカードＣ１，Ｃ２のうち、一般向けＩＣカードＣ２はガイドスロット２の上記縦溝部２２と厚大部２３とに跨った位置に最初から組み付けられた状態でカードリーダライタ１が組み立てられており、この一般向けＩＣカードＣ２は、その厚みｈがガイドスロット２のテーパ部２１の厚みよりも大であるために、テーパ部２１を通じてカード差し込み口１０から抜き出すことはできないようになっているとともに、下端縁が排出手段１３のプランジャー１４の上端に当接したものとなっている。
【００２１】
ここで、排出手段１３は、通常時、プランジャー１４を突出させた状態にあるために、一般向けＩＣカードＣ２は押し上げられて、上記縦溝部２２と厚大部２３とに跨った位置にあり、この時、一般向けＩＣカードＣ２の表面に設けられた一般向けＩＣカードであることを示すマークＭ２は前記窓１１に正対して窓１１を通じてマークＭ２を識別することができる状態となっているとともに、一般向けＩＣカードＣ２に埋め込まれたＩＣチップ３０は前記アンテナ部１２の前方に位置している。
【００２２】
従って、この状態では一般向けＩＣカードＣ２に対する読み書きが可能な状態となっており、またユーザは窓１１から見えるマークＭ２から、一般向けＩＣカードＣ２が使用できる状態にあることを識別することができる。
【００２３】
そして、会員向けＩＣカードＣ１を使用する場合は、その細くなった下端側からカード差し込み口１０を通じてガイドスロット２に会員向けＩＣカードＣ１を差し込めばよく、図５に示すように会員向けＩＣカードＣ１の下端が一般向けＩＣカードＣ２の上端に当接した状態から更に会員向けＩＣカードＣ１を押し込めば、一般向けＩＣカードＣ２は押されて排出手段１３のプランジャー１４を押し下げつつ下降して上記厚大部２３から抜けだし、図６に示すように会員向けＩＣカードＣ１がガイドスロット２のテーパ部２１に納まった時、一般向けＩＣカードＣ２を介して押し下げられたプランジャー１４はその位置を磁気力で保つ。
【００２４】
この時、一般向けＩＣカードＣ２が押し下げられる量（プランジャー１４が下がる量）は、両ＩＣカードＣ１，Ｃ２の下端及び上端からＩＣチップ３０までの前記距離ｄ，ｅの和に等しい寸法となっていることから、会員向けＩＣカードＣ１に埋め込まれたＩＣチップ３０が前記アンテナ部１２の前方に位置すると同時に、会員向けＩＣカードＣ１の下端部表面に設けた会員向けＩＣカードであることを示すマークＭ１が窓１１に正対して窓１１を通じてマークＭ１を識別することができる状態となる。
【００２５】
従って、この状態では会員向けＩＣカードＣ１に対する読み書きが可能な状態となっているとともに、ユーザは窓１１から見えるマークＭ１から、会員向けＩＣカードＣ１が使用できる状態にあることを識別することができる。なお、この状態で会員向けＩＣカードＣ１を摘んで取り出すことは困難であるようにガイドスロット２のテーパ部２１の深さを設定してある。
【００２６】
会員向けＩＣカードＣ１の取り出しは、遊技機などに設けられたカード排出釦を押すことで行う。この時、キープソレノイドである排出手段１３はプランジャー１４を突出させることで一般向けＩＣカードＣ２を介して会員向けＩＣカードＣ１を押し上げ、会員向けＩＣカードＣ１の上端部をカード差し込み口１０より上方に突出させ、図５に示す状態とすることから、ユーザは会員向けＩＣカードＣ１を抜き出すことができる。また、一般向けＩＣカードＣ２はそのＩＣチップ３０がアンテナ部１２の前方に位置するとともにマークＭ２が窓１１に正対する位置に戻る。
【００２７】
図７は他例を示しており、ここではカードリーダライタ１の前面を下端が奥に後端した傾斜面とし、ガイドスロット２もカードリーダライタ１の前面の傾斜に合わせた傾斜を持つものとしている。この場合、カード差し込み口１０に対する会員向けＩＣカードＣ１の出し入れが上記の鉛直方向に出し入れするものよりも容易となる。
【００２８】
なお、このカードリーダライタ１を台間機に装備した遊技機では、遊技前に登録を行った会員向けＩＣカードＣ１に対しては、多種単位の入金が可能であるとともに精算が可能であるのに対して、一般向けＩＣカードＣ２は最低使用可能金額（たとえば１０００円）のみ利用可能で使い切りのために精算不要のものとなっており、このために一般向けＩＣカードＣ２が取り出せないことは問題とならない。
【００２９】
また、排出手段１３として、前述のように静状態では電力を供給する必要がないキープソレノイドを用いて省電力化と耐久性の向上を図ったものを示したが、通常のソレノイドを用いてもよく、また、押し下げられた一般向けＩＣカードＣ２をその位置に保つフックと、一般向けＩＣカードＣ２を押し上げ付勢するばねと、上記フックを解除する解除用ソレノイドを用いたものであってもよい。
【００３０】
【発明の効果】
以上のように本発明においては、会員向けのＩＣカードと一般向けのＩＣカードとの異なる２種のＩＣカードを選択的に使用することができる遊技装置用ＩＣカードリーダライタであって、一般向けのＩＣカードはカードリーダライタ内に保持され、会員向けのＩＣカードはカードリーダライタに対して出し入れ自在となっているとともに、会員向けのＩＣカードのカードリーダライタに対する出し入れに伴って読み書き対象のＩＣカードを一般向けのものと会員向けのものとに切り換える読み書き部と、会員向けのＩＣカードのカードリーダライタに対する出し入れに伴って読み書き対象となっているＩＣカードを外部に表示する表示部とを備えているために、一般向けＩＣカードが読み書き対象となっている状態のところに会員向けＩＣカードを差し込めば、会員向けＩＣカードが読み書き対象になるものであり、しかもユーザは表示部で読み書き対象が変わったことがわかるものである。
【００３１】
この時、一般向けのＩＣカードが会員向けのＩＣカードに押されてその位置を変化させることで、読み書き対象のＩＣカードの切り換えと表示部への表示を変更するものであると、読み書き対象の変更及び表示部での表示の変更を簡便な機構で容易に行うことができる。
【００３２】
また、ＩＣカードに埋め込まれたＩＣチップに対してデータの読み書きを行うアンテナ部は、会員向けＩＣカードが挿入されていない状態での一般向けＩＣカードのＩＣチップに対向し且つ会員向けＩＣカードを挿入して一般向けＩＣカードを移動させた状態での会員向けＩＣカードのＩＣチップに対向する位置にあると、単一のアンテナ部で２種のＩＣカードに対する読み書きを選択的に行うことができる。
【００３３】
また、カード差し込み口が上端部に設けられ、ＩＣカードの移動通路はほぼ鉛直方向でカードリーダライタの前面とほぼ平行なものとなっており、表示部はカードリーダライタの前面に設けられてＩＣカードの一部を覗かせる窓であると、ＩＣカードの出し入れが容易であるとともに、窓を通じてＩＣカードの一部を見せるようにするだけで表示の切り替えを行うことができるために、表示部での表示の切り替えも簡便に行うことができる。そしてＩＣカードの移動通路は下端側が後方となる傾斜を備えていると、会員向けＩＣカードの出し入れがさらに容易となる。
【００３４】
また、一般向けＩＣカードを押し返すことで会員向けＩＣカードを排出する排出手段を備えたものとすることで、会員向けＩＣカードの取り出しが容易になると同時に、不用意に会員向けＩＣカードが抜かれてしまう事態が生じるのを避けることができる。そして、排出手段にキープソレノイドを用いれば、省電力化を図ることができる。
【００３５】
会員向けＩＣカードの出し入れ方向と一般向けＩＣカードの移動方向が排出手段の可動部の動作方向と一致していると、確実な動作を得ることができる。
【００３６】
また、会員向けＩＣカードはそのＩＣチップが一般向け会員向けＩＣカードに接する一端寄りに設けられていると、単一のアンテナ部で選択的に読み書きするもののにおいてＩＣカードの移動量を少なくすることができ、結果的にカードリーダライタを小型にすることができる。
【００３７】
この時、会員向けＩＣカードが台形状で、幅狭側の一端が差し込み側となっているとともに、会員向けＩＣカードの移動通路は奥ほど幅が狭くなったテーパ溝であると、方向性のある会員向けＩＣカードを確実に適正な方向で使用することができる。
【００３８】
このほか、一般向けＩＣカードの厚みが会員向けＩＣカードの厚みより大であり且つ会員向けＩＣカードの移動通路の厚みが一般向けＩＣカードの厚みより小であったり、一般向けＩＣカードの幅が会員向けＩＣカードの幅より小であり且つ一般向けＩＣカードの移動通路の幅が会員向けＩＣカードの幅より小であると、会員向けＩＣカード及び一般向けＩＣカードの夫々の移動範囲を制限することができる。
【図面の簡単な説明】
【図１】本発明の実施の形態の一例を示しており、(a)は正面図、(b)は破断側面図である。
【図２】  (a)は同上の正面図、(b)はＡ−Ａ線断面図、(c)はＢ−Ｂ線断面図、(d)はＣ−Ｃ線断面図、(e)はＤ−Ｄ線断面図である。
【図３】会員向けＩＣカードを示しており、(a)は正面図、(b)は背面図、(c)は断面図である。
【図４】一般向けＩＣカードを示しており、(a)は正面図、(b)は背面図、(c)は断面図である。
【図５】会員向けＩＣカードを途中まで挿入した状態を示しており、(a)は正面図、(b)は破断側面図である。
【図６】会員向けＩＣカードを完全に挿入した状態を示しており、(a)は正面図、(b)は破断側面図である。
【図７】他例をの破断側面図である。
【符号の説明】
Ｃ１  会員向けＩＣカード
Ｃ２  一般向けＩＣカード
１１  窓（表示部）
１２  アンテナ部（読み書き部）
【図１】
0003960121.tif 000002
【図２】
0003960121.tif 000003
【図３】
0003960121.tif 000004
【図４】
0003960121.tif 000005
【図５】
0003960121.tif 000006
【図６】
0003960121.tif 000007
【図７】
0003960121.tif 000008